(57)【特許請求の範囲】
【請求項１】
ネットワークを介して接続される関連情報表示制御装置とユーザ端末とを備えた関連情報表示システムであって、
前記関連情報表示制御装置は、
第１情報及び第２情報のそれぞれを第１情報又は第２情報と関連付けて格納する第１情報格納手段と、
前記第１情報格納手段から、第１情報又は第２情報をキーとして、当該キーに関連する第１情報又は第２情報を抽出し、キーとなった第１情報又は第２情報を中心に配置し、当該キーに関連する第１情報又は第２情報を、キーとなった第１情報又は第２情報の周囲に配置した第１の画面を前記ユーザ端末に表示させるための表示制御情報を作成する表示制御情報作成手段と、
前記表示制御情報を前記ユーザ端末に送信する送信手段と、を備え、
前記ユーザ端末は、
データを表示する表示手段と、
前記表示制御情報を前記関連情報表示制御装置から受信する受信手段と、
前記表示制御情報に基づいて、前記第１の画面を前記表示手段に表示するとともに、当該第１の画面上での操作に基づく処理を行う表示制御手段と、を備え、
前記第１の画面上での操作として第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面であり、
前記第１の画面において、中心にない第１情報又は第２情報が選択された場合に、前記表示制御手段は、当該選択された第１情報又は第２情報を示す情報を前記関連情報表示制御装置に送信し、
前記表示制御情報作成手段が、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させるための表示制御情報を作成し、前記送信手段が、当該表示制御情報を前記ユーザ端末に送信する
ことを特徴とする関連情報表示システム。
【請求項２】
前記第１の画面において第２情報が中心に配置されているときに、第１情報が選択された場合、前記表示制御情報作成手段は、当該第１情報に関連する少なくとも一つ以上の第２情報を周囲に配置した第２の画面を表示させるための表示制御情報を作成し、
前記第１の画面において第１情報が中心に配置されているときに、第２情報が選択された場合、当該第２情報に関連する少なくとも一つ以上の第１情報を周囲に配置した第２の画面を表示させるための表示制御情報を作成する
ことを特徴とする請求項１に記載の関連情報表示システム。
【請求項３】
前記第１の画面において第１情報が選択された場合、前記表示制御情報作成手段は、周囲に配置される第２情報に関連するその他の第１情報を前記第１情報格納手段から抽出し、当該その他の第１情報へのリンク情報を含むオブジェクトを当該第２情報の周囲に配置した第２の画面を表示させるための表示制御情報を作成する
ことを特徴とする請求項２に記載の関連情報表示システム。
【請求項４】
前記表示制御情報作成手段は、前記第１情報格納手段から抽出した複数の前記その他の第１情報のうちの１つを所定の条件に基づき選択し、当該選択した１つの第１情報を、前記リンク情報を含むオブジェクトとしてではなく、第１情報として表示する第２の画面を表示させるための表示制御情報を作成する
ことを特徴とする請求項３に記載の関連情報表示システム。
【請求項５】
前記関連情報表示制御装置は、
経路通過情報格納手段と、
前記ユーザ端末に表示される画面において、周囲に配置された第１情報又は第２情報が選択された場合に、当該選択された第１情報又は第２情報と中心に配置されている第１情報又は第２情報との間を結ぶ経路の情報を選択経路として前記経路通過情報格納手段に格納する手段と、を備え、
前記表示制御情報作成手段は、前記表示制御情報において、第１情報又は第２情報と、当該第１情報又は第２情報に関連する第１情報又は第２情報との関連性を繋がりを示す形状で示し、当該形状の表示画面上の太さを前記経路通過情報格納手段を参照することにより得られる該当経路の選択回数に応じて決定する
ことを特徴とする請求項１ないし４のうちいずれか１項に記載の関連情報表示システム。
【請求項６】
前記関連情報表示制御装置は、ユーザ端末に表示される画面において、第１情報又は第２情報が選択された場合に、当該第１情報又は第２情報の選択回数を記憶手段に記録する手段を備え、
前記表示制御情報作成手段は、前記表示制御情報において、第１情報又は第２情報の大きさを、該当第１情報又は第２情報の前記選択回数に応じて決定する
ことを特徴とする請求項１ないし５のうちいずれか１項に記載の関連情報表示システム。
【請求項７】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ情報記憶手段を参照することにより、対象ユーザについての第１情報又は第２情報の選択履歴を表示させるための情報を作成し、前記表示制御情報に含める
ことを特徴とする請求項１ないし６のうちいずれか１項に記載の関連情報表示システム。
【請求項８】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ端末に表示される前記第１の画面において、ユーザにより第１情報又は第２情報が選択された際に、当該ユーザの選択経路情報と、過去に当該第１情報又は第２情報を選択した他のユーザの選択経路情報とを前記ユーザ情報記憶手段から取得し、これらの選択経路情報を比較し、当該ユーザの選択経路情報と一致する選択経路情報に対応する他のユーザの情報を抽出し、当該他のユーザの情報が、同じ経路をたどったユーザとして表示されるように前記表示制御情報を作成する
ことを特徴とする請求項１ないし６のうちのいずれか１項に記載の関連情報表示システム。
【請求項９】
前記関連情報表示制御装置は、前記ユーザ端末に表示された画面上で第１情報又は第２情報が選択されたことにより、当該ユーザ端末から送信される検索要求に基づいて、ネットワーク上での検索を行う検索手段を備える
ことを特徴とする請求項１ないし８のうちいずれか１項に記載の関連情報表示システム。
【請求項１０】
前記ユーザ端末は、前記検索手段による検索結果を前記関連情報表示制御装置から受信し、ユーザによる操作に基づいて、当該検索結果を含む表示指示を所定の表示装置に送信することにより、前記検索結果に対応する第１情報を前記所定の表示装置に表示させる手段を備える
ことを特徴とする請求項９に記載の関連情報表示システム。
【請求項１１】
前記表示指示には、前記検索結果に含まれる複数の第１情報を１つづつ所定の時間で切り替えながら表示を行うことを指示する情報を含み、当該表示指示を受信した前記所定の表示装置は、当該情報に従って、複数の第１情報を切り替えながら表示する
ことを特徴とする請求項１０に記載の関連情報表示システム。
【請求項１２】
ユーザ端末とネットワークを介して接続される関連情報表示制御装置であって、
第１情報又は第２情報を中心に配置し、中心に配置された第１情報又は第２情報に関連する第１情報又は第２情報を、中心に配置された第１情報又は第２情報の周囲に配置した第１の画面を前記ユーザ端末に表示させ、
前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させる関連情報表示制御装置であり、
前記第１の画面おける第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面である
ことを特徴とする関連情報表示制御装置。
【請求項１３】
前記第１の画面において第２情報が中心に配置されているときに、第１情報が選択された場合、当該第１情報に関連する少なくとも一つ以上の第２情報を周囲に配置した第２の画面を前記ユーザ端末に表示させ、
前記第１の画面において第１情報が中心に配置されているときに、第２情報が選択された場合、当該第２情報に関連する少なくとも一つ以上の第１情報を周囲に配置した第２の画面を前記ユーザ端末に表示させる
ことを特徴とする請求項１２に記載の関連情報表示制御装置。
【請求項１４】
前記第１の画面において第１情報が選択された場合、周囲に配置される第２情報に関連するその他の第１情報へのリンク情報を含むオブジェクトを当該第２情報の周囲に配置した第２の画面を前記ユーザ端末に表示させる
ことを特徴とする請求項１３に記載の関連情報表示制御装置。
【請求項１５】
前記関連情報表示制御装置により前記ユーザ端末に表示される画面上で、第１情報又は第２情報と、当該第１情報又は第２情報に関連する第１情報又は第２情報との関連性が繋がりを示す形状で示されている
ことを特徴とする請求項１２ないし１４のうちいずれか１項に記載の関連情報表示制御装置。
【請求項１６】
前記関連情報表示制御装置により前記ユーザ端末に表示される画面上で、第１情報又は第２情報の選択履歴が表示される
ことを特徴とする請求項１２ないし１５のうちいずれか１項に記載の関連情報表示制御装置。
【請求項１７】
前記関連情報表示制御装置により前記ユーザ端末に表示される画面上で、当該ユーザ端末でなされた第１情報又は第２情報の選択の経路と同じ経路で選択を行ったユーザの情報が表示される
ことを特徴とする請求項１２ないし１６のうちのいずれか１項に記載の関連情報表示制御装置。
【請求項１８】
第１情報又は第２情報を中心に配置し、中心に配置された第１情報又は第２情報に関連する第１情報又は第２情報を、中心に配置された第１情報又は第２情報の周囲に配置した第１の画面を表示し、
前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を表示する端末装置であって、
前記第１の画面おける第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面である
ことを特徴とする端末装置。
【請求項１９】
ネットワークを介して接続される関連情報表示制御装置とユーザ端末とを備えた関連情報表示システムにおける前記関連情報表示制御装置であって、
第１情報及び第２情報のそれぞれを第１情報又は第２情報と関連付けて格納する第１情報格納手段と、
前記第１情報格納手段から、第１情報又は第２情報をキーとして、当該キーに関連する第１情報又は第２情報を抽出し、キーとなった第１情報又は第２情報を中心に配置し、当該キーに関連する第１情報又は第２情報を、キーとなった第１情報又は第２情報の周囲に配置した第１の画面を前記ユーザ端末に表示させるための表示制御情報を作成する表示制御情報作成手段と、
前記表示制御情報を前記ユーザ端末に送信する送信手段と、を備え、
前記ユーザ端末に表示される前記第１の画面上での操作として第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面であり、
前記ユーザ端末に表示される前記第１の画面において、中心にない第１情報又は第２情報が選択された場合に、前記ユーザ端末から、当該選択された第１情報又は第２情報を示す情報を受信した場合に、
前記表示制御情報作成手段は、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させるための表示制御情報を作成し、前記送信手段が、当該表示制御情報を前記ユーザ端末に送信する
ことを特徴とする関連情報表示制御装置。
【請求項２０】
前記第１の画面において第２情報が中心に配置されているときに、第１情報が選択された場合、前記表示制御情報作成手段は、当該第１情報に関連する少なくとも一つ以上の第２情報を周囲に配置した第２の画面を表示させるための表示制御情報を作成し、
前記第１の画面において第１情報が中心に配置されているときに、第２情報が選択された場合、当該第２情報に関連する少なくとも一つ以上の第１情報を周囲に配置した第２の画面を表示させるための表示制御情報を作成する
ことを特徴とする請求項１９に記載の関連情報表示制御装置。
【請求項２１】
前記第１の画面において第１情報が選択された場合、前記表示制御情報作成手段は、周囲に配置される第２情報に関連するその他の第１情報を前記第１情報格納手段から抽出し、当該その他の第１情報へのリンク情報を含むオブジェクトを当該第２情報の周囲に配置した第２の画面を表示させるための表示制御情報を作成する
ことを特徴とする請求項２０に記載の関連情報表示制御装置。
【請求項２２】
前記表示制御情報作成手段は、前記第１情報格納手段から抽出した複数の前記その他の第１情報のうちの１つを所定の条件に基づき選択し、当該選択した１つの第１情報を、前記リンク情報を含むオブジェクトとしてではなく、第１情報として表示する第２の画面を表示させるための表示制御情報を作成する
ことを特徴とする請求項２１に記載の関連情報表示制御装置。
【請求項２３】
前記関連情報表示制御装置は、
経路通過情報格納手段と、
前記ユーザ端末に表示される画面において、周囲に配置された第１情報又は第２情報が選択された場合に、当該選択された第１情報又は第２情報と中心に配置されている第１情報又は第２情報との間を結ぶ経路の情報を選択経路として前記経路通過情報格納手段に格納する手段と、を備え、
前記表示制御情報作成手段は、前記表示制御情報において、第１情報又は第２情報と、当該第１情報又は第２情報に関連する第１情報又は第２情報との関連性を繋がりを示す形状で示し、当該形状の表示画面上の太さを前記経路通過情報格納手段を参照することにより得られる該当経路の選択回数に応じて決定する
ことを特徴とする請求項１９ないし２２のうちいずれか１項に記載の関連情報表示制御装置。
【請求項２４】
前記関連情報表示制御装置は、ユーザ端末に表示される画面において、第１情報又は第２情報が選択された場合に、当該第１情報又は第２情報の選択回数を記憶手段に記録する手段を備え、
前記表示制御情報作成手段は、前記表示制御情報において、第１情報又は第２情報の大きさを、該当第１情報又は第２情報の前記選択回数に応じて決定する
ことを特徴とする請求項１９ないし２３のうちいずれか１項に記載の関連情報表示制御装置。
【請求項２５】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ情報記憶手段を参照することにより、対象ユーザについての第１情報又は第２情報の選択履歴を表示させるための情報を作成し、前記表示制御情報に含める
ことを特徴とする請求項１９ないし２４のうちいずれか１項に記載の関連情報表示制御装置。
【請求項２６】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ端末に表示される前記第１の画面において、ユーザにより第１情報又は第２情報が選択された際に、当該ユーザの選択経路情報と、過去に当該第１情報又は第２情報を選択した他のユーザの選択経路情報とを前記ユーザ情報記憶手段から取得し、これらの選択経路情報を比較し、当該ユーザの選択経路情報と一致する選択経路情報に対応する他のユーザの情報を抽出し、当該他のユーザの情報が、同じ経路をたどったユーザとして表示されるように前記表示制御情報を作成する
ことを特徴とする請求項１９ないし２４のうちのいずれか１項に記載の関連情報表示制御装置。
【請求項２７】
前記関連情報表示制御装置は、前記ユーザ端末に表示された画面上で第１情報又は第２情報が選択されたことにより、当該ユーザ端末から送信される検索要求に基づいて、ネットワーク上での検索を行う検索手段を備える
ことを特徴とする請求項１９ないし２６のうちいずれか１項に記載の関連情報表示制御装置。
【請求項２８】
コンピュータを、請求項１９ないし２７のうちいずれか１項に記載の関連情報表示制御装置における各手段として機能させるためのプログラム。
【請求項２９】
ユーザ端末とネットワークを介して接続されるコンピュータに、
第１情報又は第２情報を中心に配置し、中心に配置された第１情報又は第２情報に関連する第１情報又は第２情報を、中心に配置された第１情報又は第２情報の周囲に配置した第１の画面を前記ユーザ端末に表示させる手順、
前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させる手順、を実行させるプログラムであり、
前記第１の画面おける第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面である
プログラム。
【請求項３０】
ネットワークを介して接続される関連情報表示制御装置とユーザ端末とを備えた関連情報表示システムが実行する関連情報表示方法であって、
前記関連情報表示制御装置は、第１情報及び第２情報のそれぞれを第１情報又は第２情報と関連付けて格納する第１情報格納手段を備え、
前記関連情報表示制御装置が、前記第１情報格納手段から、所定の第１情報又は第２情報をキーとして、当該キーに関連する第１情報又は第２情報を抽出し、キーとなった第１情報又は第２情報を中心に配置し、当該キーに関連する第１情報又は第２情報を、キーとなった第１情報又は第２情報の周囲に配置した第１の画面を前記ユーザ端末に表示させるための表示制御情報を作成するステップと、
前記関連情報表示制御装置が、前記表示制御情報を前記ユーザ端末に送信するステップと、
前記ユーザ端末が、前記表示制御情報を前記関連情報表示制御装置から受信するステップと、
前記ユーザ端末が、前記表示制御情報に基づいて、前記第１の画面を表示手段に表示し、当該第１の画面において、中心にない第１情報又は第２情報が選択された場合に、当該選択された第１情報又は第２情報を示す情報を前記関連情報表示制御装置に送信するステップと、
前記関連情報表示制御装置が、当該選択された第１情報又は第２情報を中心に配置し、当該選択された第１情報又は第２情報に関連する第１情報又はタグを、当該選択された第１情報又は第２情報の周囲に配置した第２の画面を前記ユーザ端末に表示させるための表示制御情報を作成し、当該表示制御情報を前記ユーザ端末に送信するステップと、
前記ユーザ端末が、前記表示制御情報に基づいて前記第２の画面を表示するステップと、を有し、
前記ユーザ端末に表示される前記第１の画面上での操作として第１情報又は第２情報の選択が行われる前の前記第１の画面は、第１情報を中心に配置し、中心に配置された第１情報に関連する第２情報を、当該中心に配置された第１情報の周囲に配置した画面、又は、第２情報を中心に配置し、中心に配置された第２情報に関連する第１情報を、当該中心に配置された第２情報の周囲に配置した画面である
ことを特徴とする関連情報表示方法。
【発明の詳細な説明】
【技術分野】
【０００１】
本発明は、ネットワーク上のコンテンツと、コンテンツに関連する情報とをユーザ端末に表示させるための技術に関連するものである。
【背景技術】
【０００２】
インターネット上の販売サイトにおいて、商品を選択すると、その商品に関係のある商品も提示するレコメンド機能がある。このようなレコメンド機能は、ストア運営者が登録した商品情報に基づき関連する商品や、該当商品を購入したユーザが購入している別の商品をリスト形式で提示するものが多い。
【０００３】
一方、ユーザが商品に関係するキーワードを「タグ」として付与する機能を持った販売サイトもある。
【０００４】
タグを選択すると、選択したタグと同じタグの付与された商品がリスト表示される。大型店舗では、商品内容を把握した上で、商品情報にはないキーワードや関連性を発見し、この情報を用いた分類も実施している。当該販売サイトでのタグ付け作業は、このようなキーワード付与をユーザが実施している形態をとる。また、インターネットショッピングにおいて、ユーザのレビューや、人気ランキング等、他のユーザの意見や購買動向を見ながら購入判断をするユーザが多い。
【先行技術文献】
【特許文献】
【０００５】
【特許文献１】特開2009-086859号公報
【発明の概要】
【発明が解決しようとする課題】
【０００６】
しかしながら、従来技術でのレコメンドによる関連情報の表示は、リスト形式でなされるため、表示が単純であり、ユーザが操作を楽しみながら関連コンテンツを探したり、関連性を発見することなどはできなかった。
【０００７】
また、自由なフォーマットのキーワードを用いた検索は、検索に広がりを持たせるが、ストア運営者で全ての商品に対し、商品情報にはないキーワードを付与するには稼動がかかる。そのため、ユーザによるタグ付けに依存しており、ユーザにタグ付け機能を頻繁に利用してもらう必要があるが、あまり多くのタグが付与されていなかった。
【０００８】
また、インターネットにおける検索では、検索キーを設定すると、そのキーに関連するコンテンツを大量に表示するケースが多い。ユーザはこの大量の情報を、見切りをつけるまで一通り見終えてから次のアクションを起こす。しかし、一度のアクションで得られる情報量が多いため、このようなアクションを何度も繰り返そうという気にはならない。そのため、当初目的から視点を変えて目的外のジャンルのコンテンツの情報を入手するためには、検索キーを切り替るアクションを繰り返し行なわなければならず、操作が煩雑で非効率であった。
【０００９】
本発明は上記の点に鑑みてなされたものであり、ユーザが操作を楽しみながら関連性の発見を行うことができるようにコンテンツやタグ等に関連する情報を表示するとともに、タグ等の付与や、検索を容易に行うことを可能ならしめる技術を提供することを目的とする。
【課題を解決するための手段】
【００１０】
上記の課題を解決するために、本発明は、ユーザ端末とネットワークを介して接続される関連情報表示制御装置であって、
第１情報又は第２情報を中心に配置し、中心に配置された第１情報又は第２情報に関連する第１情報又は第２情報を、中心に配置された第１情報又は第２情報の周囲に配置した第１の画面を前記ユーザ端末に表示させ、
前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させることを特徴とする関連情報表示制御装置として構成される。
【００１１】
また、本発明は、ネットワークを介して接続される関連情報表示制御装置とユーザ端末とを備えた関連情報表示システムであって、
前記関連情報表示制御装置は、
第１情報及び第２情報のそれぞれを第１情報又は第２情報と関連付けて格納する第１情報格納手段と、
前記第１情報格納手段から、第１情報又は第２情報をキーとして、当該キーに関連する第１情報又は第２情報を抽出し、キーとなった第１情報又は第２情報を中心に配置し、当該キーに関連する第１情報又は第２情報を、キーとなった第１情報又は第２情報の周囲に配置した第１の画面を前記ユーザ端末に表示させるための表示制御情報を作成する表示制御情報作成手段と、
前記表示制御情報を前記ユーザ端末に送信する送信手段と、を備え、
前記ユーザ端末は、
データを表示する表示手段と、
前記表示制御情報を前記関連情報表示制御装置から受信する受信手段と、
前記表示制御情報に基づいて、前記第１の画面を前記表示手段に表示するとともに、当該第１の画面上での操作に基づく処理を行う表示制御手段と、を備え、
前記第１の画面において、中心にない第１情報又は第２情報が選択された場合に、前記表示制御手段は、当該選択された第１情報又は第２情報を示す情報を前記関連情報表示制御装置に送信し、
前記表示制御情報作成手段が、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させるための表示制御情報を作成し、前記送信手段が、当該表示制御情報を前記ユーザ端末に送信する
ことを特徴とする関連情報表示システムとして構成してもよい。
【００１２】
また、本発明は、上記関連情報表示システムにおける関連情報表示制御装置、そのプログラム、関連情報表示システムが実行する関連情報表示方法として構成することもできる。
【発明の効果】
【００１３】
本発明の実施形態によれば、ユーザが操作を楽しみながら関連性の発見を行うことができるように第１情報（例：コンテンツ）や第２情報（例：タグ）に関連する情報を表示するとともに、第２情報の付与や、検索を容易に行うことを可能ならしめる技術を提供することが可能となる。
【００１４】
より具体的には、第１情報をコンテンツとし、第２情報をタグとした実施の形態によれば下記の効果を奏する。
【００１５】
ユーザが作成した関連性（タグ）の利用量が視覚的に把握できる。このため、ユーザが関連性を作成するモチベーションにつながる。
【００１６】
コンテンツを購入する際、人気ランキング等、販売動向を参考にして選択するケースが多く見られるが、本実施の形態のシステムでは、検索経路の人気／不人気を視覚的に把握できることから、検索方法に新たな価値観を与えることができる。
【００１７】
ユーザが特定のコンテンツをレコメンドすることができる。このため、現実の商店に近い、よりきめこまやかなレコメンドが可能となる。
【００１８】
誰でも直感的にゲーム感覚でコンテンツを検索することができる。これにより、検索過程を楽しむことを目的にストアを訪問するユーザが見込まれ、その結果、ストア訪問数を増加させる効果が見込まれる。
【００１９】
「関連性」を豊富にし、選択しやすくすることにより、検索の幅が広がる。関連性を切り替えつつ検索を進めることにより、当初目的とは全く別のコンテンツに遭遇しやすくなる。これにより、発見の偶然性を楽しむことができる。また、目的が無くても検索を楽しむことができる。
【図面の簡単な説明】
【００２０】
【図１】本発明の実施の形態におけるシステムの全体構成図である。
【図２】ユーザ端末に表示される画面例を示す図である。
【図３】ユーザ端末に表示される画面例を示す図である。
【図４】ユーザ端末に表示される画面例を示す図である。
【図５】ユーザ端末に表示される画面例を示す図である。
【図６】ユーザ端末に表示される画面例を示す図である。
【図７】ユーザ端末に表示される画面例を示す図である。
【図８】ユーザ端末に表示される画面例を示す図である。
【図９】関連情報表示制御装置とユーザ端末の構成図である。
【図１０】コンテンツ情報格納部に格納されるテーブルの例を示す図である。
【図１１】経路通過情報格納部に格納されるテーブルの例を示す図である。
【図１２】ユーザ情報格納部に格納されるテーブルの例を示す図である。
【図１３】検索結果格納部に格納されるテーブルの例を示す図である。
【図１４】画面表示のための処理の流れの例を示す図である。
【図１５】同じ経路をたどった人を表示する際の処理を説明するための図である。
【図１６】表示する情報量の絞込みの例を説明するための図である。
【図１７】画面遷移における情報配置位置の例を説明するための図である。
【図１８】ユーザ端末をコントローラとして用いて検索結果の表示を行う場合の表示方法を説明するための図である。
【図１９】ユーザ端末をコントローラとして用いて検索結果の表示を行う場合の処理の流れの第１の例を示す図である。
【図２０】ユーザ端末をコントローラとして用いて検索結果の表示を行う場合の処理の流れの第２の例を示す図である。
【発明を実施するための形態】
【００２１】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態では、第１情報をコンテンツとし、第２情報をタグとした例を示しているが、本発明は、第１情報／第２情報がコンテンツ／タグ以外の場合にも適用可能である。
【００２２】
＜システム全体構成＞
図１に、本発明の実施の形態における関連情報表示システムの全体構成を示す。図１に示すように、本実施の形態の関連情報表示システムは、関連情報表示制御装置１とユーザ端末３がネットワーク２を介して接続された構成を有している。
【００２３】
関連情報表示制御装置１は、ユーザ端末３にコンテンツ、その関連情報、タグ等を表示させるための表示制御情報を作成し、ユーザ端末３に送信する装置である。ユーザ端末３は、関連情報表示制御装置１から送られた表示制御情報を受信して、コンテンツやその関連情報、タグ等を表示する装置であり、例えば、スマートフォン等の携帯端末である。ネットワーク２は、例えばインターネット等のＩＰネットワークである。各装置の機能構成については後述する。
【００２４】
＜表示画面例＞
（基本的な表示例）
以下、本実施の形態において、関連情報表示制御装置１から受信する表示制御情報に基づいてユーザ端末３に表示される画面について説明する。以下では、主にどのような画面が表示され、どのような画面遷移が行われるかを説明する。表示を行うための関連情報表示制御装置１の動作については、その後で説明する。
【００２５】
本実施の形態においてユーザ端末３に表示される画面の基本構成として、コンテンツ中心表現と関連性中心表現がある。なお、「関連性」について、関連性を示す標識である「タグ」という用語を以下では用いることとする。
【００２６】
図２に、コンテンツ中心表現における画面例を示す。図２に示すように、コンテンツ中心表現では、ユーザ端末３の画面領域に中心コンテンツ領域（図２ではcontent Aの領域）、タグ領域（content Aの周囲に配置された各relationの領域）、関連コンテンツ領域（各relationに接続されたcontentの領域）、及びその他のタグボタンが図示のように視覚的に接続されて配置される。また、各タグ領域の周囲には、当該タグに関連するコンテンツのリンク情報を含むオブジェクトが配置されている。
【００２７】
図２において、各コンテンツ領域には、例えばＷｅｂページの全画面もしくは一部の画面が表示される。また、リンク情報のオブジェクトは、コンテンツの内容は示されないが、タグに関連するコンテンツがあることが示されている。各タグ（relation)は、コンテンツ間で関係があることを示す表示である。例えば、"relation A-B"は、content Aとcontent Bが関連していることを示す。各タグは、図示のとおりに"relation コンテンツ名−コンテンツ名"という表示でもよいし、両コンテンツに関連するキーワード等の表示でもよいし、その他の表示でもよく、特定の表示に限定されない。図２（他の画面も同様）に示すように、コンテンツとタグは、これらを区別できるように異なる形で表示される。コンテンツとタグを、大きさ及び／又は色で区別できるように表示してもよい。
【００２８】
本実施の形態では、「タグ」として、例えば、書誌メタ情報（著者、出版社、ジャンル等）、協調フィルタリング結果（コンテンツ間、コンテンツとタグ間で関連があることを示す結果）、任意のキーワード（運営者が付与したタグ、ユーザが付与したタグ等）などがある。
【００２９】
本実施の形態では、中心コンテンツ表現において、中心コンテンツに対し、タグ領域、関連コンテンツ領域はそれぞれ１階層までとしているが、１階層に限定されるわけではなく、例えば、大きな画面を持つ端末を用いる場合は階層数を増加させてもよい。
【００３０】
図３に、タグ中心表現の画面例を示す。図３に示すように、タグ中心表現では、関連性を示す標識であるタグ（図３の例ではrelation A-C）、関連コンテンツ領域（タグの周囲に配置された各コンテンツ領域）、及びその他のタグボタンが視覚的に接続されて配置されている。本実施の形態では、タグ（関連性）に対して、関連コンテンツ領域は１階層までとするが、これに限定されない。また、図４に示されるように、タグの周囲にタグを配置し、これらのタグを接続した表示としてもよい。
【００３１】
コンテンツ中心表現及びタグ中心表現のいずれの場合も、詳細情報表示、購入、ブックマーク、その他の機能を実施するためのボタンが配置される。ただし、これらのボタンを全て配置することは必須ではない。
【００３２】
例えば、図２に示す例では、詳細情報表示を行うための「詳細」ボタンが配置されている。この「詳細」ボタンを選択（又はカーソルオン）すると、該当コンテンツの詳細情報が表示される。
【００３３】
更に、図２に示す例では、「持っている」ボタンと「気になる」ボタンが一例として示されている。例えば、関連情報表示制御装置１は、ユーザ毎に「持っている」リストと「気になる」リストを格納する記憶手段を持ち、ボタン選択時に、該当ユーザの該当リストに選択に係るコンテンツの情報が格納される。例えば、「持っている」ボタンを選択した場合、上記リストを用いることにより、該当コンテンツに対応する商品等を所有していると関連情報表示制御装置１側で判断され、以降の表示においてはこのコンテンツを表示しないといった制御が可能になる。また、「気になる」ボタンを選択した場合は、このユーザは該当コンテンツに興味を持っていると判断され、該当コンテンツの優先度を上げるといった制御が可能となる。
【００３４】
また、図２に示す例では、タグに「いいね！」ボタンが配置されている。「いいね！」を選択することで、タグの評価を行うことができる。例えば、関連情報表示制御装置１側で「いいね！」によるタグ評価値を集計し、記憶手段に格納し、表示するタグを抽出する際の決定要素とすることができる。
【００３５】
図３の例では、「詳細」ボタン、「購入する」ボタン、「チェックリストに保存」ボタンが示されている。例えば、「購入する」ボタンを選択することで、販売サイトに遷移し、コンテンツに係る商品（本など）を購入できる。また、「チェックリストに保存」ボタンを選択することで、所定のリストに登録され、後で参照することができる。
【００３６】
また、図２、図３に示すように、コンテンツ中心表現、タグ中心表現のいずれの場合も、画面内のアクセスしやすい位置に履歴が表示される。例えば、図２に示す例では、ユーザ端末３のユーザが、content X、relation X-Z、......content B、relation S-A、content Aの順でコンテンツもしくはタグを選択した履歴が表示されている。
【００３７】
（関連コンテンツ検索）
次に、図２、図３の画面において、関連コンテンツ検索を行なうための操作について説明する。
【００３８】
図２に示したようなコンテンツ中心表現において、関連コンテンツ領域を選択もしくは中心にドラッグすると、関連コンテンツ領域を中心としたコンテンツ中心表現に切り替わる。ここで、例えばユーザ端末３がスマートフォンである場合、上記の「選択」とは、例えばユーザ端末３の該当領域をタッチすることであり、「中心にドラッグ」とは、例えば画面の該当領域に指を触れたまま指を画面の中心部分まで移動させることである。もちろん、このような操作は一例に過ぎず、例えば、マウスやキーボード等を用いて同等の選択及びドラッグの操作を行うことは可能である。なお、上記のタッチによる選択、ドラッグによる選択のいずれも「選択」と呼ぶことができる。
【００３９】
関連コンテンツ領域を中心としたコンテンツ中心表現に切り替わることにより、当該関連コンテンツに関連するタグ、関連コンテンツ、オブジェクト等が周囲に表示される。すなわち、関連コンテンツの検索が行われることになる。なお、前画面で中心にあった情報は、次の画面で見せなくてもよいし、見せてもよい。
【００４０】
例えば、図２の例において、関連コンテンツである「content C」を選択すると、「content C」を中心としたコンテンツ中心表現画面に遷移する。つまり、中心である「content C」の周囲にタグが配置され、各タグの周囲にコンテンツ及びオブジェクトが配置された画面が表示される。
【００４１】
また、図２に示したようなコンテンツ中心表現において、タグ領域を選択もしくは中心にドラッグすると、当該タグ領域を中心としたタグ中心表現に切り替わる。タグ領域を中心としたタグ中心表現に切り替わることにより、当該タグに関連する関連コンテンツやタグが周囲に表示される。すなわち、関連コンテンツの検索が行われることになる。
【００４２】
例えば、図２の例において、タグ「relation A-C」を選択すると、「relation A-C」を中心としたタグ中心表現画面に遷移する。図３は、図２においてタグ「relation A-C」を選択して遷移したタグ中心表現画面の一例である。なお、この際、前画面で中心にあった「content A」を「relation A-C」の近傍で、前画面と同じ方向（「relation A-C」に対して左斜め下）に縮小表示することとしてもよい。
【００４３】
図３に示すようなタグ中心表現において、関連コンテンツ領域を選択もしくは中心にドラッグすると、関連コンテンツ領域を中心としたコンテンツ中心表現に切り替わる。例えば、図３に示す例において、「content F」を選択すると、「content F」を中心としたコンテンツ中心画面に遷移する。
【００４４】
なお、コンテンツ中心表現、タグ中心表現のいずれの場合においても、コンテンツ領域の表示サイズは、例えば、該当コンテンツの商品等の販売数等に応じて変化させることができる。また、タグ領域の表示サイズは、後述する「いいね」ボタンの選択回数等のお勧め度合い等に応じて変化させることができる。また、コンテンツ、タグが選択された回数を関連情報表示制御装置１が記憶しておき、当該回数に応じて表示サイズを決定することもできる。また、大きさに加えて、色、形を変化させてもよい。
【００４５】
また、各領域を接続する線表現は、ユーザがその線を通過した回数に応じて太さを変えて表現することができる。これにより、移動経路の人気度を視覚的に把握することができる。「線を通過した回数」とは、例えば、図３の例では、あるユーザが画面を「relation A-C」の中心表現にした後に、「content F」を選択した場合において、「relation A-C」から「content F」に移動した回数を１だけ増加させるようにカウントする。「relation A-C」と「content F」との間の移動回数が大きければ、「relation A-C」と「content F」との間の線は太く表示されることになる。また、移動回数に応じて、太さだけでなく、色を変えてもよい。また、各領域を接続する形状は、線に限られず、繋がりを示す形状であればよい。
【００４６】
また、本実施の形態では、図４に示すように、自分（ユーザ端末３のユーザ）と同じ経路を通過したユーザを「同じ道を通った人」として表示することができる。「同じ道を通った人」とは、例えば、自分が「content C」中心表現から、「relation A-C」中心表現に遷移した場合において、同じく、「content C」中心表現から、「relation A-C」中心表現に遷移したことのある他のユーザである。この遷移は、所定の時間以内に同じ遷移を行ったユーザのみを表示することとしてよい。また、上記の例では、１区間の遷移が同じユーザを表示することとしているが、所定の数以上の区間の遷移が同じユーザのみを表示することとしてもよい。例えば、２区間以上の遷移が同じユーザを表示することとした場合において、自分が「relation X-C」、「content C」、「relation A-C」という順番で遷移を行った場合、同様に「relation X-C」、「content C」、「relation A-C」という順番で遷移を行ったユーザが表示される。また、「relation X-C」から「relation A-C」へ直接に遷移したユーザに関しても、「relation X-C」と「relation A-C」との間にある「content C」を含む経路「relation X-C」、「content C」、「relation A-C」を遷移したものとしてよい。
【００４７】
なお、画面上で、ある「同じ道を通った人」を選択することにより、そのユーザとコミュニケーションをとれるようにしてもよい。コミュニケーションをとるための手段は特定の手段に限定されず、例えば、メール、ソーシャルネットワークを介した通信手段等を用いることができる。また、「同じ道を通った人」を選択することにより、該当ユーザのユーザ情報や、当該ユーザが公開している興味のあるコンテンツリスト等を表示してもよい。
【００４８】
（コンテンツ、タグの追加）
本実施の形態では、以下で説明する操作を行うことにより、表示画面からコンテンツやタグを追加することが可能である。
【００４９】
図２もしくは図３の画面において、「その他のコンテンツ・タグ」ボタンを選択すると、例えば図５に示す画面が表示される。また、ユーザ端末３がスマートフォンの場合、画面内にキーボードが表示されてもよい。図５の画面における上側の領域には、図２、図３等の画面に表示できなかった関連コンテンツ、タグ（キーワード等）が表示される。
【００５０】
また、下側の画面には、入力欄と「検索」ボタン、「追加」ボタンが示されている。例えば、入力欄にタグ（キーワード）を入力すると、前の画面で「その他のコンテンツ・タグ」ボタンが接続されたコンテンツに関連するタグ（キーワード）が登録される。また、入力欄にコンテンツを入力すると、前の画面で「その他のコンテンツ・タグ」ボタンが接続されたタグに関連するコンテンツが登録される。また、入力欄にキーワードを入力して、「検索」ボタンを選択すると、キーワードについてのＷｅｂ検索が実行され、コンテンツ検索結果が表示され、そこで選択したコンテンツが関連コンテンツとして登録される。
【００５１】
また、図３の画面等において「購入」ボタンを押すことにより遷移するコンテンツの販売サイト等において、ユーザがあるコンテンツ（本など）に関連するお勧めのコンテンツを登録した場合、例えば、図６に示す画面が表示される。また、このとき、本実施の形態に係るコンテンツ中心表現画面を表示させると、図７に示すように、content Aに関連するタグとしてお勧めコンテンツを登録した際の理由が表示され、それに関連する関連コンテンツとして、お勧めしたcontent AAが表示される。
【００５２】
図７のコンテンツ中心表現において、お勧め理由のタグを選択したタグ中心画面の一例を図８に示す。本例では、中心に示すお勧め理由に対応するコンテンツが３つ登録された例を示している。
【００５３】
（その他の画面表示における特徴）
本実施の形態において、画面遷移時に伴う表示情報の移動、拡大縮小は、滑らかで連続的な表現で行われ、各情報の配置関係（方向）は、遷移前後で極力変化しないようにしている。
【００５４】
また、中心に配置されたコンテンツまたはタグを検索キーとしてインターネット上の情報を検索し表示してもよい。
【００５５】
更に、インターネット上の情報を表示する際は、所定の条件に従って表示情報を抽出し、あらかじめ定められた表示時間に基づいて表示情報を順次自動的に切り替えながら表示してもよい。その際の表示は検索画面以外の画面に表示してもよい。この例についは後述する。
【００５６】
＜システム構成詳細＞
以下、上述したような画面表示を実現するためのシステム構成例についてより詳細に説明する。
【００５７】
図９に、本実施の形態に係る関連情報表示制御装置１とユーザ端末３の機能構成を示す。なお、図９に示す機能構成は、本実施の形態に関わる主な機能を示すものであり、実際には、動作を実現するための図示しない既存の機能を含むことは言うまでもない。例えば、関連情報表示制御装置１は、ユーザＩＤとパスワードでユーザを識別する図示しないユーザ認証機能を備える。以下の説明における「ユーザＩＤ」は、ユーザ認証機能により認証され、識別されるものである。
【００５８】
（関連情報表示制御装置１について）
図９に示すように、関連情報表示制御装置１は、処理制御部１１、検索機能部１２、レコメンド機能部１３、通信機能部１４、コンテンツ情報格納部１５、経路通過情報格納部１６、ユーザ情報格納部１７、及び検索結果格納部１８を備える。
【００５９】
処理制御部１１は、ユーザ端末３から受信する操作情報等に基づいて、各格納部に格納されている情報等を利用して、ユーザ端末３に画面表示を行わせるための表示制御情報を作成し、送信する処理を行う機能部である。また、検索機能部１２やレコメンド機能部１３等に対して処理を命令し、処理結果を受け取って、処理結果を表示制御情報に反映させる処理等も行う。
【００６０】
検索機能部１２は、ユーザ端末１３から受信するタグの情報（キーワード等）やコンテンツの情報（コンテンツ名等）をキーしてＷｅｂ検索を行う機能部である。検索機能部１２は外部にある検索エンジンを利用することにより検索を行うこととしてもよいし、検索機能部１２内に検索エンジンを備え、当該検索エンジンが検索処理を行うこととしてもよい。
【００６１】
レコメンド機能部１３は、ユーザの購入履歴等に応じて、当該ユーザに対してお勧めのコンテンツ（商品等）を抽出したり、あるコンテンツやタグに関連するコンテンツやタグを抽出する機能部である。レコメンド機能は、例えば、協調フィルタリング方式で実現できるが、これに限定されるわけではない。
【００６２】
通信機能部１４は、ネットワーク２を介してユーザ端末３と通信を行うための機能部である。
【００６３】
コンテンツ情報格納部１５は、本実施の形態における画面表示を行うためのコンテンツに関する情報を格納する格納部である。経路通過情報格納部１６は、画面上での経路通過情報を格納する格納部である。ユーザ情報格納部１７は、ユーザ毎に、ユーザが経由した経路の情報を格納する格納部である。検索結果格納部１８は、検索機能部１２による検索結果を格納する機能部である。
【００６４】
関連情報表示制御装置１は、１つ又は複数のコンピュータ（サーバ）に、本実施の形態で説明する処理内容を記述したプログラムを実行させることにより実現可能である。すなわち、関連情報表示制御装置１の各部が有する機能は、当該関連情報表示制御装置１を構成するコンピュータに内蔵されるＣＰＵやメモリなどのハードウェア資源を用いて、各部で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００６５】
（各格納部に格納されるテーブルの例）
図１０に、コンテンツ情報格納部１５に格納されるテーブルの一例を示す。図１０に示すように、当該テーブルには、コンテンツと、それに関連する情報が格納されている。例えば、図１０の例は、Contents-Aというコンテンツに対し、それに関連するタグとしてRelation-1、Relation-2があり、Relation-1はContents-AとContents-Bに関連し、Relation-2とRelation-3に関連していることを示している。なお、"Contents-A"は、例えば、該当コンテンツに対するURL、もしくは当該URLへのポインターである。他のコンテンツについても同様である。また、"Relation-1"は、関係性を示す識別情報、キーワード等である。
【００６６】
図１０には少数のコンテンツに関する情報しか示されていないが、実際には多数のコンテンツに関する情報がテーブルに含まれる。図１０に示すテーブルは、ユーザからの登録操作や、コンテンツやキーワード間の関連性を解析できるレコメンド機能部１３等による関連性の解析結果から得られる情報に基づき形成されるものである。このテーブルの情報に基づいて、前述したコンテンツ中心表現やタグ中心表現等の画面表示が可能となる。
【００６７】
図１０に示すテーブルは、ユーザ毎（つまり、ユーザＩＤ毎）に備えることとしてもよいし、全ユーザ共通の情報として備えることとしてもよいし、これらの両方を備えることとしてもよい。本実施の形態の図１０は、全ユーザ共通の情報として備えられた例を示している。また、コンテンツ情報格納部１５には、画面表示のための必要な画像情報等も格納されているものとする。
【００６８】
なお、レコメンド機能部１３により用いられる各ユーザのコンテンツ購入履歴情報等は、外部のサーバ（購入サイトのサーバ等）に格納されることとしてもよいし、関連情報表示制御装置１のコンテンツ情報格納部１５内に格納することとしてもよいが、本実施の形態では、外部のサーバに格納することを想定している。
【００６９】
図１１（ａ）に、経路通過情報格納部１６に格納されるテーブルの例を示す。図１１（ａ）に示すように、当該テーブルには、経路ＩＤ、始点、終点、通過時間、通過ユーザＩＤが対応付けて格納されている。
【００７０】
経路ＩＤは、例えば、コンテンツ情報格納部１５に格納された情報に基づき、処理制御部１１により、関連のあるコンテンツとタグ間、タグ間、コンテンツ間等を抽出して、これらを識別するＩＤとして付与される。なお、経路ＩＤ自体を、コンテンツＩＤ＋タグＩＤとし、経路ＩＤの情報から始点と終点を識別可能としてもよい。
【００７１】
例えば、経路ＩＤ−Ａの経路を、ユーザＩＤ１のユーザが時刻Ｔに通過した場合、処理制御部１１がユーザ端末３からの操作情報の基づきそれを検知し、経路ＩＤ−Ａの欄に、ユーザＩＤ１と時刻Ｔを格納する。経路通過情報格納部１６には、ユーザ毎に、選択されたコンテンツ又はタグが記録されるから、経路通過情報格納部１６からコンテンツ又はタグ毎の選択回数を集計し、当該選択回数をメモリ等の記憶手段に格納しておき、コンテンツ又はタグの表示の際の大きさ等の決定に用いることとしてもよい。また、ユーザ毎に、選択されたコンテンツ又はタグを記録する選択情報記憶部を経路通過情報格納部１６と別に備え、当該選択情報記憶部を参照することにより選択回数を集計してもよい。
【００７２】
また、処理制御部１１は、所定の集計期間毎に経路毎の集計期間内の情報をカウントし、集計情報をまとめたテーブルを経路通過情報格納部１６に格納してもよい。そのテーブルの一例を図１１（ｂ）に示す。この例での集計期間中の通過量とは、該当集計期間において、該当経路を通過した回数の累積となる。このデータを用いることで、画面に表示する経路の太さが決定される。なお、生の集計データをそのまま用いてもよいし、所定の数で割るなどして相対化した値を記録して用いてもよい。
【００７３】
図１２に、ユーザ情報格納部１７に格納されるテーブルの例を示す。図１２に示すように、当該テーブルには、ユーザＩＤ、日時、始点、経路ＩＤが格納される。この情報は、処理制御部１１が、特定のユーザＩＤのユーザが使用しているユーザ端末３から操作情報を受信することにより、当該操作情報に基づいて、始点と経路ＩＤを識別し、日時とともに記録するものである。処理制御部１１は、ユーザ情報格納部１７に格納された情報を参照することにより、移動履歴を表示制御情報に含め、ユーザ端末３に表示させることができる。また、格納する情報は図１２（ａ）の例に限られず、例えば、経路ＩＤとともに、その経路を構成する始点と終点を記録してもよい。このユーザ情報を用いることで、あるユーザの移動経路と同じ移動経路をたどった別のユーザを抽出することができる。なお、履歴中でのコンテンツを選択した場合は、当該コンテンツの詳細情報を表示することができる。また、コンテンツ、タグを選択した場合は、当該選択対象を中心に配置した図２、図３のような画面を表示してもよい。
【００７４】
なお、図１２（ｂ）に示すテーブルは、後述する検索処理で用いられるものである。
【００７５】
図１３に、検索結果格納部１８に格納されるテーブルの例を示す。図１３に示すように、当該テーブルには、検索機能部１２による検索結果として、キー（コンテンツやキーワード等）、検索日時、検索された情報が格納される。処理制御部１１は、検索結果格納部１８に格納されたテーブルを参照することにより、検索結果を含む表示制御情報を作成し、それをユーザ端末３等に送信することにより、検索結果を表示させる。
【００７６】
（ユーザ端末３について）
ユーザ端末３は、スマートフォン、タブレット型端末などの携帯端末を想定しているが、携帯電話機やＰＣをユーザ端末３として用いてもよい。図９に示したように、ユーザ端末３は、データ表示制御部３１、データ表示装置３２、通信機能部３３、記憶部３４、入力部３５を有する。
【００７７】
データ表示制御部３１は、関連情報表示制御装置１から受信した表示制御情報に基づいて、画像、情報をデータ表示装置３２上の適切な位置に表示することにより、前述した画面例等で示した画面を表示する。また、データ表示制御部３１は、関連情報表示制御装置１から受信した表示制御情報に含まれる移動量情報をもとに、コンテンツやタグ枠のサイズ、経路の太さ、色、形などを決定し、適切に表示する。なお、これらのサイズや太さなどの情報が関連情報表示制御装置１から受信した表示制御情報に含まれ、表示制御情報に従った表示を行うこととしてもよい。
【００７８】
データ表示装置３２はディスプレイであり、画像等の表示を行う。通信機能部３３は、ネットワーク２を介して関連情報表示制御装置１と通信を行うための機能部である。記憶部３４は、表示処理やその他の処理等で用いるデータを格納する。入力部３５は、入力のための機能部であり、例えばハードウェアのキーボードもしくは画面上に表示されるソフトウェアキーボードである。また、入力部３５は、データ表示装置３２に表示される画面上での操作（タッチ等）を識別し、識別した操作情報を装置内に入力する機能も有する。
【００７９】
＜システムの動作＞
以下、シーケンス図を参照して、画面表示に関わるシステムの基本的な動作を説明する。
【００８０】
（初期画面表示動作）
例えば図２もしくは図３に示す画面を初期画面として表示する動作について、図１４のシーケンス図を参照して説明する。以下の例では、販売サイト（ストア）から所定の操作により、図２もしくは図３に示す画面に遷移する例を説明するが、図２もしくは図３に示す画面を最初に表示する契機はこれに限られるわけではなく、例えば、所定のポータルサイトから遷移できるようにしてもよい。
【００８１】
（１）初期画面表示動作：コンテンツ中心表現  
まず、コンテンツ中心表現画面（図２）を表示する場合について説明する。
【００８２】
ユーザ端末３は販売サイト（ストア）にアクセスし、販売サイトのコンテンツ選択画面を表示しているものとする。また、当該コンテンツ選択画面には、コンテンツを選択するための領域と本実施の形態に係るコンテンツ中心表現画面への遷移を指示するボタン等が示されているものとする。
【００８３】
ユーザが、コンテンツ選択画面上で特定のコンテンツを選択し、コンテンツ中心表現画面への遷移を指示する操作を行う（図１４のステップ１）。すると、選択したコンテンツを示す情報（選択情報）がユーザ端末３から関連情報表示制御装置１に送信される（ステップ２）。
【００８４】
選択情報を受信した関連情報表示制御装置１において、処理制御部１１が選択情報を取得し（ステップ３）、コンテンツ情報格納部１５から当該コンテンツに関連するコンテンツ、タグの情報を抽出するとともに、抽出された情報に対応する経路についての通過量の情報を経路通過情報格納部１６から抽出し、これらの情報に対応する画像情報、情報の配置の指示情報、接続線の太さの指示情報等を含む表示制御情報を作成する（ステップ４）。そして、処理制御部１１が、通信機能部１４を用いて表示制御情報をユーザ端末３に送信する。
【００８５】
表示制御情報を受信したユーザ端末３では、データ表示制御部３１が表示制御情報に基づいてデータ表示装置３２への表示を行う。これにより、例えば、図２に示すようなコンテンツ中心表現の画面が表示される。
【００８６】
なお、上記の例は、コンテンツ情報格納部１５の中に、選択情報に対応するコンテンツ、タグに関する情報が既に抽出され予め格納されている例である。上記の処理の他、選択情報を受信した時点で、レコメンド機能部１３が当該コンテンツに関連するコンテンツやタグの情報を取得してコンテンツ情報格納部１５の中に格納し、その後に、表示制御情報作成のための情報をコンテンツ情報格納部１５から取得することとしてもよい。
【００８７】
また、関連情報表示制御装置１の処理制御部１１は、ユーザ端末３での次の操作を見越して、周辺部にある情報（タグや関連コンテンツ）の関連情報まで先読みで取得しておき、メモリ等に保持しておいてもよい。また、先読みで取得した情報を表示制御情報に含めてもよい。先読みで取得した情報を表示制御情報に含める場合は、ユーザ端末３は、次の操作の後、再度関連情報表示制御装置１にアクセスすることなく、次の画面表示を行うことができる可能性が高くなる。
【００８８】
（２）初期画面表示動作：コンテンツ中心表現
次に、タグ中心表現画面（図３）を表示する場合について説明する。処理の基本的な流れはコンテンツ中心表現の場合と同じであるため、ここでも図１４のシーケンス図に沿って説明を行う。
【００８９】
ユーザ端末３は販売サイト（ストア）にアクセスし、販売サイトのキーワード選択画面を表示しているものとする。また、当該キーワード選択画面には、キーワードを選択するための領域と本実施の形態に係るタグ中心表現画面への遷移を指示するボタン等が示されているものとする。
【００９０】
ユーザが、キーワード選択画面上で特定のキーワードを選択し、タグ中心表現画面への遷移を指示する操作を行う（図１４のステップ１）。すると、選択したキーワードを示す情報（選択情報）がユーザ端末３から関連情報表示制御装置１に送信される（ステップ２）。
【００９１】
選択情報を受信した関連情報表示制御装置１において、処理制御部１１が選択情報を取得し（ステップ３）、コンテンツ情報格納部１５から当該キーワード（タグ）に関連するコンテンツ、タグの情報を抽出するとともに、抽出された情報に対応する経路についての通過量の情報を経路通過情報格納部１６から抽出し、これらの情報に対応する画像情報、情報の配置の指示情報、接続線の太さの指示情報等を含む表示制御情報を作成する（ステップ４）。そして、処理制御部１１が、通信機能部１４を用いて表示制御情報をユーザ端末３に送信する。
【００９２】
表示制御情報を受信したユーザ端末３では、データ表示制御部３１が表示制御情報に基づいてデータ表示装置３２への表示を行う。これにより、例えば、図３に示すようなコンテンツ中心表現の画面が表示される。
【００９３】
なお、上記の例は、コンテンツ情報格納部１５の中に、選択情報に対応するキーワードに関する情報が既に抽出され予め格納されている例である。コンテンツ中心表現の場合と同様に、上記の処理の他、選択情報を受信した時点で、レコメンド機能部１３が当該キーワードに関連するコンテンツやタグの情報を取得してコンテンツ情報格納部１５の中に格納し、その後に、表示制御情報作成のための情報をコンテンツ情報格納部１５から取得することとしてもよい。
【００９４】
また、コンテンツ中心表現の場合と同様に、関連情報表示制御装置１の処理制御部１１は、ユーザ端末３での次の操作を見越して、周辺部にある情報（タグや関連コンテンツ）の関連情報まで先読みで取得しておき、メモリ等に保持しておいてもよい。また、先読みで取得した情報を表示制御情報に含めてもよい。
【００９５】
（ユーザ操作による画面変化を伴う表示動作）
次に、ユーザ操作による画面変化を伴う表示動作について説明する。前述したとおり、画面を変化させる方法として、関連コンテンツを選択する場合と、タグを選択する場合がある。また、それぞれの選択方法として、それぞれの表示領域に触れて選択するケースと、表示領域を画面中心までドラッグする場合がある。いずれの場合も、基本的な処理の流れは、ユーザ端末３からの情報に基づいて関連情報表示制御装置１が表示制御情報を作成してユーザ端末３に送信するという図１４に示したとおりの流れであるので、以下の各ケースにおいて図１４を参照して説明する。
【００９６】
（１）画面変化：関連するコンテンツ領域に触れて選択する場合
まず、コンテンツ中心表現の画面において、関連コンテンツ領域に触れて当該関連コンテンツを選択する場合について説明する。
【００９７】
ユーザ端末３において、図２に示したようなコンテンツ中心表現の画面が表示されているものとする。ユーザが所望の関連コンテンツ領域に触れると（ステップ１）、ユーザ端末３のデータ表示制御部３１により触れた領域の座標を元に選択されたコンテンツが識別され、選択コンテンツ情報（選択情報）が関連情報表示制御装置１に送信される（ステップ２）。
【００９８】
選択情報を受信した関連情報表示制御装置１において、処理制御部１１は選択情報を取得して（ステップ３）、初期画面の場合と同様にして、選択されたコンテンツを中心とする画面表示に必要な情報を各格納部から抽出し、表示制御情報を作成する（ステップ４）。
【００９９】
関連情報表示制御装置１は、作成した表示制御情報をユーザ端末３に送信する（ステップ５）。表示制御情報を受信したユーザ端末３では、データ表示制御部３１が、表示制御情報に基づいて、選択コンテンツが中心になるように画面全体をなめらかに移動させ、選択コンテンツが中心になったコンテンツ中心表現画面を表示する（ステップ６）。
【０１００】
前述した例と同様に、この場合も次の操作を見越して、周辺部にある情報の関連情報まで先読みで取得しておいてもよい。
【０１０１】
（２）画面変化：関連するコンテンツを画面中心までドラッグする場合
次に、コンテンツ中心表現の画面において、関連コンテンツを画面中心までドラッグする場合について説明する。
【０１０２】
ユーザ端末３において、図２に示したようなコンテンツ中心表現の画面が表示されているものとする。ユーザが所望の関連コンテンツ領域をドラッグすると、接触面に追随し、引っ張られるように画面全体が移動する（ステップ１）。この操作の際、ユーザ端末３におけるデータ表示制御部３１が選択・操作情報を識別し、ユーザ端末３から関連情報表示制御装置１にドラッグ中の選択コンテンツ情報（選択情報）が送信される（ステップ２）。例えば、ユーザ端末３は、ドラッグ操作中、一定時間間隔で選択コンテンツ情報と画面上で指等が接触している位置の情報とを関連情報表示制御装置１に送信する。
【０１０３】
関連情報表示制御装置１において、処理制御部１１は選択情報を取得し（ステップ３）、更に、操作情報（画面上の接触位置）を取得する。
【０１０４】
処理制御部１１は、選択コンテンツが画面中心エリアに入ってきたことを認識すると、選択されたコンテンツを中心とする画面表示に必要な情報を各格納部から抽出し、表示制御情報を作成する（ステップ４）。
【０１０５】
関連情報表示制御装置１は、作成した表示制御情報をユーザ端末３に送信する（ステップ５）。表示制御情報を受信したユーザ端末３では、データ表示制御部３１が、表示制御情報に基づいて、選択コンテンツが中心になったコンテンツ中心表現画面を表示する（ステップ６）。
【０１０６】
前述した例と同様に、この場合も次の操作を見越して、周辺部にある情報の関連情報まで先読みで取得しておいてもよい。
【０１０７】
また、本例では、処理制御部１１は、選択コンテンツの画面内における位置を把握して、ユーザ端末３上で、ドラッグにより空いた周辺部のエリアの大きさ、位置を把握して、当該エリアの大きさに応じた個数の関連情報を取得して、表示制御情報を作成し、選択コンテンツのドラッグに応じて、順次表示制御情報をユーザ端末３に送り、ユーザ端末３に画面表示させることとしてもよい。この場合、ユーザ端末３には、ドラッグに応じて、周辺部からなめらかに関連情報を表示させることができる。
【０１０８】
また、上記の例では、関連情報表示制御装置１の側で、ドラッグによりコンテンツが画面中心エリアに到達したかどうかを判断しているが、ユーザ端末３のデータ表示制御部３１が、ドラッグによりコンテンツが画面中心エリアに到達したこと検知したときに、当該コンテンツが選択されたものと判断し、選択情報を関連情報表示制御装置１に送信することとしてもよい。
【０１０９】
（３）画面変化：関連するタグ領域に触れて選択する場合
次に、コンテンツ中心表現の画面において、タグ領域に触れて当該タグを選択する場合について説明する。
【０１１０】
ユーザ端末３において、図２に示したようなコンテンツ中心表現の画面が表示されているものとする。ユーザが所望のタグ領域に触れると（ステップ１）、ユーザ端末３のデータ表示制御部３１により触れた領域の座標を元に選択されたタグが識別され、選択タグ情報（選択情報）が関連情報表示制御装置１に送信される（ステップ２）。
【０１１１】
選択情報を受信した関連情報表示制御装置１において、処理制御部１１は選択情報を取得して（ステップ３）、初期画面の場合と同様にして、選択されたタグを中心とする画面表示に必要な情報を各格納部から抽出し、表示制御情報を作成する（ステップ４）。
【０１１２】
関連情報表示制御装置１は、作成した表示制御情報をユーザ端末３に送信する（ステップ５）。表示制御情報を受信したユーザ端末３では、データ表示制御部３１が、表示制御情報に基づいて、選択されたタグが中心になるように画面全体をなめらかに移動させ、選択タグが中心になったタグ中心表現画面を表示する（ステップ６）。
【０１１３】
前述した例と同様に、この場合も次の操作を見越して、周辺部にある情報の関連情報まで先読みで取得しておいてもよい。
【０１１４】
（４）画面変化：関連するタグを画面中心までドラッグする場合
次に、コンテンツ中心表現の画面において、関連するタグを画面中心までドラッグする場合について説明する。
【０１１５】
ユーザ端末３において、図２に示したようなコンテンツ中心表現の画面が表示されているものとする。ユーザが所望のタグ領域をドラッグすると、接触面に追随し、引っ張られるように画面全体が移動する（ステップ１）。この操作の際、ユーザ端末３におけるデータ表示制御部３１が選択・操作情報を識別し、ユーザ端末３から関連情報表示制御装置１にドラッグ中の選択タグ情報（選択情報）が送信される（ステップ２）。例えば、ユーザ端末３は、ドラッグ操作中、一定時間間隔で選択タグ情報と画面上で指等が接触している位置の情報とを関連情報表示制御装置１に送信する。
【０１１６】
関連情報表示制御装置１において、処理制御部１１は選択情報を取得し（ステップ３）、更に、操作情報（画面上の接触位置）を取得する。
【０１１７】
処理制御部１１は、選択タグが画面中心エリアに入ってきたことを認識すると、選択されたタグを中心とする画面表示に必要な情報を各格納部から抽出し、表示制御情報を作成する（ステップ４）。
【０１１８】
関連情報表示制御装置１は、作成した表示制御情報をユーザ端末３に送信する（ステップ５）。表示制御情報を受信したユーザ端末３では、データ表示制御部３１が、表示制御情報に基づいて、選択タグが中心になったタグ中心表現画面を表示する（ステップ６）。
【０１１９】
前述した例と同様に、この場合も次の操作を見越して、周辺部にある情報の関連情報まで先読みで取得しておいてもよい。  
また、本例では、処理制御部１１は、選択タグの画面内における位置を把握して、ユーザ端末３上で、ドラッグにより空いた周辺部のエリアの大きさ、位置を把握して、当該エリアの大きさに応じた個数の関連情報を取得して、表示制御情報を作成し、選択タグのドラッグに応じて、順次表示制御情報をユーザ端末３に送り、ユーザ端末３に画面表示させることとしてもよい。この場合、ユーザ端末３には、ドラッグに応じて、周辺部からなめらかに関連情報を表示させることができる。
【０１２０】
（５）画面変化：関連するコンテンツ領域に触れて選択する場合
タグ中心表現の画面において、関連コンテンツ領域に触れて当該関連コンテンツを選択する場合の動作は、（１）の場合と同様である。ただし、この場合、選択前に図３に示したようなタグ中心表現の画面が表示され、当該タグ中心表現の画面からコンテンツ中心表現の画面に遷移する。
【０１２１】
（６）画面変化：関連するコンテンツを画面中心までドラッグする場合
タグ中心表現の画面において、関連コンテンツを画面中心までドラッグする場合の動作は、（２）の場合と同様である。ただし、この場合、ドラッグ選択前に図３に示したようなタグ中心表現の画面が表示され、当該タグ中心表現の画面からコンテンツ中心表現の画面に遷移する。
【０１２２】
（同じ経路をたどった人を表示する際の動作）
次に、図４に示したように、「同じ経路を通った人」の表示を行う場合の動作例を図１５を参照して説明する。この動作の前提として、処理制御部１１は、各ユーザ毎に、経路情報をユーザ情報格納部１７に格納しているものとする。この経路情報は、図１４で示したステップ３で取得する選択情報を順次記録することにより記録される。経路通過情報格納部１６への情報格納も同様である。なお、以下の例では、ユーザ情報格納部１７に格納された経路通過情報を用いているが、経路通過情報格納部１６に格納された情報を用いることもできる。
【０１２３】
本実施の形態において、「同じ経路を通った人」は、コンテンツ中心表現の画面もしくはタグ中心表現の画面とともに表示されるものであり、基本的な処理の流れは図１４に示したとおりであるが、「同じ経路を通った人」の表示を行うための情報を表示制御情報に含めるために、関連情報表示制御装置１の処理制御部１１は、表示制御情報の作成（図１４のステップ４）において図１５に示す処理を行う。
【０１２４】
処理制御部１１は、着目しているユーザ端末３における画面の中心情報（ステップ３で取得した選択情報）を過去に選択したことのある他のユーザ（対象としているユーザ端末３のユーザ以外のユーザ）の経路通過情報をユーザ情報格納部１７から抽出する（ステップ４０１）。ここでの「過去」とは、現在から所定の期間だけ前までとする。
【０１２５】
処理制御部１１は、着目しているユーザ端末３のユーザの経路通過情報と、ステップ４０１で取得した他のユーザの経路通過情報とを比較する（ステップ４０２）。
【０１２６】
そして、予め定めた条件（一致する経路数等）に基づき、ユーザ端末３のユーザの経路通過情報と一致する経路通過情報を持つ他のユーザを抽出し（ステップ４０３）、当該他のユーザの情報（画像情報等）を含む表示制御情報を作成する（ステップ４０４）。例えば、着目するユーザの経路がタグＡ−＞コンテンツＢであった場合に、所定の期間内にタグＡ−＞コンテンツＢを経由したことのあるユーザが抽出され、その情報が表示制御情報に含められる。
【０１２７】
この表示制御情報がユーザ端末３に送信されることにより、ユーザ端末３において、例えば、あるコンテンツを選択してそのコンテンツの中心表現画面を表示する際に、当該コンテンツへ「同じ経路を通った人」を表示できる。
【０１２８】
（画面表示の詳細について）
これまでに説明したコンテンツ中心表現やタグ中心表現の画面表示において、コンテンツ（又はタグ）に関連する情報の個数は一般には画面に収まらないほどに多数になるため、画面に表示する情報の限定（絞り込み）を行ったり、配置について工夫する必要がある。
【０１２９】
例えば、中心コンテンツの周囲に配置されるタグの周辺に配置するコンテンツに関しては、複数のコンテンツがコンテンツ情報格納部１５から抽出された場合でも、優先度等に応じて１つだけコンテンツの形で表示するものを選択して表示し、他のコンテンツはリンク情報を持つオブジェクトとして小さく表示する。
【０１３０】
（１）タグの絞込みについて
また、コンテンツ中心表示において、一画面に配置するタグを４つまでに制限する。つまり、関連情報表示制御装置１の処理制御部１１は、表示制御情報作成の際に抽出されるタグを一画面内に４つ配置させるように表示制御情報を作成する。
【０１３１】
一画面に収まりきらない数のタグが存在する場合、表示する画面を切り替えるためのボタンを表示し、ページ切り替え可能とする。つまり、このようなページ切り替え可能なように表示制御情報を作成する。
【０１３２】
具体的には、例えば、タグに優先順位付けを行い、優先順位に従って画面内の以下の位置にタグを配置する。優先順位付けは、例えば、当該タグが選択された回数や、「いいね」ボタンの押された回数等に基づいて行うことができる。
【０１３３】
n ページ目の
左上：優先順4n-3 位
右上：優先順4n-2 位
左下：優先順4n-1 位
右下：優先順4n 位
例えば、図１６に示す例において、（ａ）で示す１ページ目では、左上に優先順１位のタグが配置され、右上に優先順２位のタグが配置され、左下に優先順３位のタグが配置され、右下に優先順４位のタグが配置される。（ｂ）で示す２ページ目では、左上に優先順５位のタグが配置され、右上に優先順６位のタグが配置され、左下に優先順７位のタグが配置され、右下に優先順８位のタグが配置される。なお、所定の順位以下のタグについては表示を行わないこととしてもよい。
【０１３４】
（２）コンテンツの絞込みについて
例えば、コンテンツ中心表現画面において、各タグを通して関連するコンテンツを１つずつ配置することとする。
【０１３５】
この際、関連度の高さ（レコメンド機能により取得できる）、販売数等の情報を元にコンテンツ表示優先度を定め、優先順位の最も高いコンテンツ１つを配置する。
【０１３６】
また、例えば、タグ選択により画面遷移して表示されるタグ中心表現画面において、各コンテンツが表示される位置は、優先順１位のコンテンツが前画面において配置されていた位置と関係させる。具体的には、図１７（ａ）に示すように、前画面に存在した情報のうち、前画面で中心にあったコンテンツ、タグ、選択したタグを通じた優先順１位のコンテンツは、図１７（ｂ）に示すようにタグ中心表現画面中にも表示させる。また、前画面からタグ中心表現画面への遷移の際、自然な動きとなるよう、これら３要素については前画面での位置関係に近い位置に配置させる。つまり、図１７（ｂ）に示すように、前画面で中心にあったコンテンツ、タグ、選択したタグを通じた優先順１位のコンテンツは、前画面と同様の位置関係で配置されている。
【０１３７】
＜検索結果の表示を別画面とし、自動で切り替えながら表示する例＞
（概要）
本実施の形態では、コンテンツもしくはタグを画面上で選択したときに、図２、３で示したような各中心表現画面を表示できることに加えて、検索モードを選択することにより、コンテンツもしくはタグを画面上で選択したときに、コンテンツもしくはタグをキーとした検索（Ｗｅｂ検索）を実行して、検索結果をユーザ端末３上、もしくは他の表示装置（ＴＶ、ＰＣ等）に表示させることができる。表示の際には、検索結果で得られた複数のコンテンツを所定時間間隔で切り替えて表示することができる。
【０１３８】
ユーザ端末３と異なる表示装置に検索結果の表示を行わせる場合、すなわち、ユーザ端末３をコントローラとして用いて検索結果の表示を行う表示方法の概要を図１８を参照して説明する。
【０１３９】
ユーザ端末３には例えば図２、図３等に示した画面が表示されているものする。ユーザはユーザ端末３において所定のボタンを選択するなどにより検索モードを選択し、例えば特定のタグ（コンテンツでもよい）を選択する。
【０１４０】
すると、タグ（キーワード）は関連情報表示制御装置１に送られ、関連情報表示制御装置１の検索機能部１２は、当該キーワードをキーにした検索を行い、検索結果を取得して検索結果格納部１８に保存する。関連情報表示制御装置１の処理制御部１１は、当該検索結果（検索結果である複数のURLを含む）をユーザ端末３に返す。そして、ユーザは、テレビのリモコンを操作する要領で、ユーザ端末３を表示装置に向けて所定のボタンを選択する等の操作を行うと、検索結果の情報（表示指示）が表示装置に送られ、表示装置は検索結果に含まれるURLに対応するコンテンツを切り替えながら順番に表示する。すなわち、上記表示指示には、検索結果に含まれる複数のコンテンツを１つづつ所定の時間で切り替えながら表示を行うことを指示する情報を含む。
【０１４１】
（動作フロー：第１の例）
上記のように、ユーザ端末３の操作で検索を行って、検索結果をユーザ端末３とは異なる表示装置に表示させる場合の処理動作を説明する。
【０１４２】
まず、図１９を参照して第１の例を説明する。本例は、上記の概要に対応する例である。
【０１４３】
まず、ユーザがユーザ端末３において検索モードの選択とキーワードの選択の操作を行う（ステップ１１）。選択情報であるキーワードは関連情報表示制御装置１に送られ（ステップ１２）、関連情報表示制御装置１の検索機能部１２は、当該キーワードをキーにした検索を行い（ステップ１３）、検索結果を取得して検索結果格納部１８に保存する。
【０１４４】
関連情報表示制御装置１の処理制御部１１は、当該検索結果（検索結果である複数のURLを含む）を含む表示制御情報を作成し（ステップ１４）、ユーザ端末３に返す（ステップ１５）。
【０１４５】
ユーザ端末３には、例えば、検索結果を示す画面（コンテンツの名前等）が表示される（ステップ１６）。そして、ユーザは、テレビのリモコンを操作する場合と同様にして、ユーザ端末３を表示装置に向けて所定のボタンを選択する等の操作を行うと（ステップ１７）、検索結果を含む表示制御情報（表示装置での表示のための情報）が表示装置に送られ（ステップ１８）、表示装置は検索結果に含まれるURLに対応するコンテンツを取得し、切り替えながら順番に表示する（ステップ１９）。
【０１４６】
上記のユーザ端末３から表示装置への情報送信は、ユーザ端末３及び表示装置が、ブルートゥース、赤外線通信等の既存通信機能を備えることにより実現できる。
【０１４７】
（動作フロー：第２の例）
次に、図２０を参照して、ユーザ端末３の操作で検索を行って、検索結果をユーザ端末３とは異なる表示装置に表示させる場合の処理動作の第２の例を説明する。
【０１４８】
まず、ユーザがユーザ端末３において検索モードの選択とキーワードの選択の操作を行う（ステップ２１）。選択情報であるキーワードは関連情報表示制御装置１に送られ（ステップ２２）、関連情報表示制御装置１の検索機能部１２は、当該キーワードをキーにした検索を行い（ステップ２３）、検索結果を取得して検索結果格納部１８に保存する。
【０１４９】
関連情報表示制御装置１の処理制御部１１は、当該検索結果（検索結果である複数のURLを含む）を含む表示制御情報（表示装置での表示のための情報）を作成し（ステップ２４）、表示装置に送信する（ステップ２６）。表示装置は検索結果に含まれるURLに対応するコンテンツを取得し、切り替えながら順番に表示する（ステップ２６）。
【０１５０】
第２の例においては、以下のような処理を行う変形例を採用することもできる。  
関連情報表示制御装置１の処理制御部１１は、検索処理を行った後、図１２に示したユーザ情報格納部１７に格納された（ｂ）に示すテーブルを参照することにより、検索結果を表示させる端末装置がユーザ端末３であるか、それとも別の装置であるかを判定する。本動作例では、図１２（ｂ）に示すように"別"であると判定し、その後は図２０のステプ２４〜２６の動作が行われる。このとき、検索結果を含む表示制御情報の送信先の指定には、図１２（ｂ）のテーブルに示されるアドレスを用いる。
【０１５１】
＜他の実施形態＞
これまでに説明した実施形態では、関連情報表示制御装置１がユーザ端末３に画面を表示させる例を示したが、関連情報表示制御装置１における機能の一部又は全部をユーザ端末（ＰＣやスマートフォン等の端末装置）に備え、当該ユーザ端末が自身の機能により画面生成のための情報を作成し、これまでに説明した画面表示を行うようにしてもよい。
【０１５２】
すなわち、この実施形態では、第１情報又は第２情報を中心に配置し、中心に配置された第１情報又は第２情報に関連する第１情報又は第２情報を、中心に配置された第１情報又は第２情報の周囲に配置した第１の画面を表示し、前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を表示する端末装置が提供される。
【０１５３】
＜まとめ＞
以上説明したように、本明細書は、ユーザ端末とネットワークを介して接続される関連情報表示制御装置であって、
第１情報又は第２情報を中心に配置し、中心に配置された第１情報又は第２情報に関連する第１情報又は第２情報を、中心に配置された第１情報又は第２情報の周囲に配置した第１の画面を前記ユーザ端末に表示させ、
前記第１の画面において、中心にない第１情報又は第２情報が選択された場合に、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させる関連情報表示制御装置を開示する。
【０１５４】
前記関連情報表示制御装置は、前記第１の画面において第１情報が選択された場合、当該第１情報に関連する少なくとも一つ以上の第２情報を周囲に配置した第２の画面を前記ユーザ端末に表示させ、前記第１の画面において第２情報が選択された場合、当該第２情報に関連する少なくとも一つ以上の第１情報を周囲に配置した第２の画面を前記ユーザ端末に表示させる。
【０１５５】
前記関連情報表示制御装置は、前記第１の画面において第１情報が選択された場合、周囲に配置される第２情報に関連するその他の第１情報へのリンク情報を含むオブジェクトを当該第２情報の周囲に配置した第２の画面を前記ユーザ端末に表示させる。
【０１５６】
また、前記関連情報表示制御装置により前記ユーザ端末に表示される画面上で、第１情報又は第２情報と、当該第１情報又は第２情報に関連する第１情報又は第２情報との関連性が繋がりを示す形状で示されている。また、前記関連情報表示制御装置により前記ユーザ端末に表示される画面上で、第１情報又は第２情報の選択履歴が表示されてもよく、更に、当該ユーザ端末でなされた第１情報又は第２情報の選択の経路と同じ経路で選択を行ったユーザの情報が表示される場合もある。
【０１５７】
また、本明細書は、ネットワークを介して接続される関連情報表示制御装置とユーザ端末とを備えた関連情報表示システムを開示する。
【０１５８】
前記関連情報表示制御装置は、
第１情報及び第２情報のそれぞれを第１情報又は第２情報と関連付けて格納する第１情報格納手段と、
前記第１情報格納手段から、第１情報又は第２情報をキーとして、当該キーに関連する第１情報又は第２情報を抽出し、キーとなった第１情報又は第２情報を中心に配置し、当該キーに関連する第１情報又は第２情報を、キーとなった第１情報又は第２情報の周辺に配置した第１の画面を前記ユーザ端末に表示させるための表示制御情報を作成する表示制御情報作成手段と、
前記表示制御情報を前記ユーザ端末に送信する送信手段と、を備え、
前記ユーザ端末は、
データを表示する表示手段と、
前記表示制御情報を前記関連情報表示制御装置から受信する受信手段と、
前記表示制御情報に基づいて、前記第１の画面を前記表示手段に表示するとともに、当該第１の画面上での操作に基づく処理を行う表示制御手段と、を備え、
前記第１の画面において、中心にない第１情報又は第２情報が選択された場合に、前記表示制御手段は、当該選択された第１情報又は第２情報を示す情報を前記関連情報表示制御装置に送信し、
前記表示制御情報作成手段が、当該選択された第１情報又は第２情報を中心に配置し、当該選択された第１情報又は第２情報に関連する第１情報又は第２情報を、当該選択された第１情報又は第２情報の周囲に配置した第２の画面を前記ユーザ端末に表示させるための表示制御情報を作成し、前記送信手段が、当該表示制御情報を前記ユーザ端末に送信する。
【０１５９】
前記第１の画面において第１情報が選択された場合、前記表示制御情報作成手段は、当該第１情報に関連する少なくとも一つ以上の第２情報を周囲に配置した第２の画面を表示させるための表示制御情報を作成し、
前記第１の画面において第２情報が選択された場合、当該第２情報に関連する少なくとも一つ以上の第１情報を周囲に配置した第２の画面を表示させるための表示制御情報を作成する。
【０１６０】
前記第１の画面において第１情報が選択された場合、前記表示制御情報作成手段は、周囲に配置される第２情報に関連するその他の第１情報を前記第１情報格納手段から抽出し、当該その他の第１情報へのリンク情報を含むオブジェクトを当該第２情報の周囲に配置した第２の画面を表示させるための表示制御情報を作成する。
【０１６１】
前記表示制御情報作成手段は、前記第１情報格納手段から抽出した複数の前記その他の第１情報のうちの１つを所定の条件に基づき選択し、当該選択した１つの第１情報を、前記リンク情報を含むオブジェクトとしてではなく、第１情報として表示する第２の画面を表示させるための表示制御情報を作成する。
【０１６２】
前記関連情報表示制御装置は、
経路通過情報格納手段と、
前記ユーザ端末に表示される画面において、周辺に配置された第１情報又は第２情報が選択された場合に、当該選択された第１情報又は第２情報と中心に配置されている第１情報又は第２情報との間を結ぶ経路の情報を選択経路として前記経路通過情報格納手段に格納する手段と、を備え、
前記表示制御情報作成手段は、前記表示制御情報において、第１情報又は第２情報と、当該第１情報又は第２情報に関連する第１情報又は第２情報との関連性を繋がりを示す形状で示し、当該形状の表示画面上の太さを前記経路通過情報格納手段を参照することにより得られる該当経路の選択回数に応じて決定する。
【０１６３】
前記関連情報表示制御装置は、ユーザ端末に表示される画面において、第１情報又は第２情報が選択された場合に、当該第１情報又は第２情報の選択回数を記憶手段に記録する手段を備え、
前記表示制御情報作成手段は、前記表示制御情報において、第１情報又は第２情報の大きさを、該当第１情報又は第２情報の前記選択回数に応じて決定する。
【０１６４】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ情報記憶手段を参照することにより、対象ユーザについての第１情報又は第２情報の選択履歴を表示させるための情報を作成し、前記表示制御情報に含める。
【０１６５】
前記関連情報表示制御装置は、ユーザ端末に表示される画面上での第１情報又は第２情報の選択経路をユーザ毎に記憶するユーザ情報記憶手段を備え、
前記表示制御情報作成手段は、前記ユーザ端末に表示される前記第１の画面において、ユーザにより第１情報又は第２情報が選択された際に、当該ユーザの選択経路情報と、過去に当該第１情報又は第２情報を選択した他のユーザの選択経路情報とを前記ユーザ情報記憶手段から取得し、これらの選択経路情報を比較し、当該ユーザの選択経路情報と一致する選択経路情報に対応する他のユーザの情報を抽出し、当該他のユーザの情報が、同じ経路をたどったユーザとして表示されるように前記表示制御情報を作成する。
【０１６６】
前記関連情報表示制御装置は、前記ユーザ端末に表示された画面上で第１情報又は第２情報が選択されたことにより、当該ユーザ端末から送信される検索要求に基づいて、ネットワーク上での検索を行う検索手段を備える。
【０１６７】
前記ユーザ端末は、前記検索手段による検索結果を前記関連情報表示制御装置から受信し、ユーザによる操作に基づいて、当該検索結果を含む表示指示を所定の表示装置に送信することにより、前記検索結果に対応する第１情報を前記所定の表示装置に表示させる手段を備える。
【０１６８】
前記表示指示には、前記検索結果に含まれる複数の第１情報を１つづつ所定の時間で切り替えながら表示を行うことを指示する情報を含み、当該表示指示を受信した前記所定の表示装置は、当該情報に従って、複数の第１情報を切り替えながら表示する。
【０１６９】
本発明は、上記の実施の形態に限定されることなく、特許請求の範囲内において、種々変更・応用が可能である。
【符号の説明】
【０１７０】
１  関連情報表示制御装置  
１１  処理制御部
１２  検索機能部  
１３  レコメンド機能部
１４  通信機能部
１５  コンテンツ情報格納部
１６  経路通過情報格納部
１７  ユーザ情報格納部
１８  検索結果格納部
３  ユーザ端末
３１  データ表示制御部
３２  データ表示装置
３３  通信機能部
３４  記憶部
３５  入力部
【図１】
0005752070.tif 000002
【図２】
0005752070.tif 000003
【図３】
0005752070.tif 000004
【図４】
0005752070.tif 000005
【図５】
0005752070.tif 000006
【図６】
0005752070.tif 000007
【図７】
0005752070.tif 000008
【図８】
0005752070.tif 000009
【図９】
0005752070.tif 000010
【図１０】
0005752070.tif 000011
【図１１】
0005752070.tif 000012
【図１２】
0005752070.tif 000013
【図１３】
0005752070.tif 000014
【図１４】
0005752070.tif 000015
【図１５】
0005752070.tif 000016
【図１６】
0005752070.tif 000017
【図１７】
0005752070.tif 000018
【図１８】
0005752070.tif 000019
【図１９】
0005752070.tif 000020
【図２０】
0005752070.tif 000021